(57)【要約】      （修正有）【課題】防水と防音効果を兼ね備えた気密構造を提供する。【解決手段】フレーム１と、内サッシ２と、外サッシ３とによって構成する。フレームは、上フレーム１０と、下フレーム１１と、第一縦フレーム１２と、第二縦フレーム１３とからなる。各フレームには、固定部材１０２，１１０が設けられ、固定部材には、第一当て部材１４と、第二当て部材１５が設けられ、各当て部材は、内サッシの所定箇所及び外サッシの所定箇所に接触する。以上により、フレームと、内サッシ及び外サッシとは相互に緊密に貼りつく。【選択図】図２
0003162138.tif 000002
【実用新案登録請求の範囲】
【請求項１】
フレームと、内サッシと、外サッシとによって構成する防水と防音効果を兼ね備えた気密構造において、
フレームは、上フレームと、下フレームと、第一縦フレームと、第二縦フレームとからなり、
上フレームには、下方向に延伸する複数の下固定部材が設けられ、下固定部材には、内サッシの所定箇所に接触する少なくとも一つの第一当て部材と、外サッシの所定箇所に接触する少なくとも一つの第二当て部材が設けられ、
下フレームには、上方向に延伸する複数の上固定部材が設けられ、上固定部材には、内サッシの所定箇所に接触する少なくとも一つの第一当て部材と、外サッシの所定箇所に接触する少なくとも一つの第二当て部材とが設けられ、
第一縦フレームには、側辺方向に延伸する複数の第一固定部材が設けられ、第一固定部材には、内サッシの所定箇所と接触する少なくとも一つの第一当て部材と、外サッシの所定箇所に接触する少なくとも一つの第二当て部材とが設けられ、
第二縦フレームには、側辺方向に延伸する複数の第二固定部材が設けられ、第二固定部材には、内サッシの所定箇所と接触する少なくとも一つの第一当て部材と、外サッシの所定箇所に接触する少なくとも一つの第二当て部材とが設けられ、第一当て部材と第二当て部材によって、フレームと、内サッシ及び外サッシとは相互に緊密に貼りつくことを特徴とする、防水と防音効果を兼ね備えた気密構造。
【請求項２】
該第一当て部材は、ゴムからなることを特徴とする、請求項１に記載の防水と防音効果を兼ね備えた気密構造。
【請求項３】
第二当て部材は、ゴムからなることを特徴とする、請求項１に記載の防水と防音効果を兼ね備えた気密構造。
【請求項４】
該第一当て部材と該第二当て部材は、シリコンで接着されることを特徴とする、請求項１に記載の防水と防音効果を兼ね備えた気密構造。
【考案の詳細な説明】
【技術分野】
【０００１】
本考案は、アルミサッシ窓などに適用される、防水と防音効果を兼ね備えた気密構造に関する。
【背景技術】
【０００２】
家庭における生活の品質が重視され、環境騒音に関する法律が整備されるにつれ、アルミサッシ窓の市場も、量より質が重視されるようになってきている。その中で登場した「気密窓」は、騒音と、風や雨から守るための新しい製品である。しかしながら、従来の「気密窓」の品質は消費者のニーズを満たしていない。特に、防音や防水の効果は高くなく、例えば、道路に面する住宅では車のクラクションの音などで目が覚めてしまい、また、台風の強風や大雨が窓サッシから室内に入ってきてしまうことがある。このような窓は大きさが決まっているわけではないため統一の規格を定めることができず、それぞれの環境に合わせて個別に人の手で作られる。人の手で作られた製品の最大の欠点は、製品の精度を制御するのが難しいことである。
【０００３】
その他、現代人は家の防犯も重視するようになってきており、ドアの施錠だけでなく、窓の安全性にも注意を払っている。ほとんどの窓は、居住環境に応じて異なる構造になっており、一般的によく見られる窓は、プッシュ式と引き戸式の二種類がある。
【０００４】
引き戸式の窓は、安全の観点から、一般的に内窓には施錠フックが設けられ、外窓には被施錠部材が設けられ、施錠フックを被施錠部材に引っ掛けることで、外窓と内窓が開かないようにすることができる。しかしながら、上下の部分には大きな隙間があり、安全性に問題があるだけでなく、室外の雨風や騒音がその隙間から入ってくるため、この種の構造は、防水や防音効果が低い。
【考案の概要】
【考案が解決しようとする課題】
【０００５】
そこで、本考案は、防水と防音効果を兼ね備えた気密構造を提供することを目的とする。
【課題を解決するための手段】
【０００６】
本考案による、防水と防音効果を兼ね備えた気密構造は、
フレームと、内サッシと、外サッシとによって構成する。フレームは、上フレームと、下フレームと、第一縦フレームと、第二縦フレームとからなる。上フレームには、下方向に延伸する複数の下固定部材が設けられ、下固定部材には、内サッシの所定箇所に接触する少なくとも一つの第一当て部材と、外サッシの所定箇所に接触する少なくとも一つの第二当て部材が設けられ、下フレームには、上方向に延伸する複数の上固定部材が設けられ、上固定部材には、内サッシの所定箇所に接触する少なくとも一つの第一当て部材と、外サッシの所定箇所に接触する少なくとも一つの第二当て部材とが設けられ、第一縦フレームには、側辺方向に延伸する複数の第一固定部材が設けられ、第一固定部材には、内サッシの所定箇所と接触する少なくとも一つの第一当て部材と、外サッシの所定箇所に接触する少なくとも一つの第二当て部材とが設けられ、第二縦フレームには、側辺方向に延伸する複数の第二固定部材が設けられ、第二固定部材には、内サッシの所定箇所と接触する少なくとも一つの第一当て部材と、外サッシの所定箇所に接触する少なくとも一つの第二当て部材とが設けられ、第一当て部材と第二当て部材によって、フレームと、内サッシ及び外サッシとは相互に緊密に貼りつく。
【図面の簡単な説明】
【０００７】
【図１】本考案の一実施形態の外観を示した斜視図である。
【図２】本考案のフレームに設けられた当て部材の位置を示した説明図である。
【図３】図２のＡ−Ａ線の断面図である。
【図４】図２のＢ−Ｂ線の断面図である。
【図５】第一縦フレームの一部を示した斜視図である。
【図６】第二縦フレームの一部を示した斜視図である。
【考案を実施するための形態】
【０００８】
図１は、本考案の一実施形態の外観を示した斜視図であり、図２は、本考案のフレームに設けられた当て部材の位置を示した説明図である。図から分かるように、防水と防音効果を兼ね備えた気密構造は、フレーム１と、内サッシ２と、外サッシ３とによって構成する。フレーム１は、上フレーム１０と、下フレーム１１と、第一縦フレーム１２と、第二縦フレーム１３とによってなる。上フレーム１０には、下方向に延伸する下固定部材１０２が設けられ、下固定部材１０２には、内サッシ２の所定箇所２０に接触する少なくとも一つの第一当て部材１４と、外サッシ３の所定箇所３０に接触する少なくとも一つの第二当て部材１５とが設けられる。
【０００９】
また、下フレーム１１には、上方向に延伸する上固定部材１１が設けられ、上固定部材１１０には、第一当て部材１４と、第二当て部材１５とが設けられ、これらの当て部材は、外サッシ３の所定箇所３０と内サッシ２の所定箇所２０に接触する
【００１０】
また、第一縦フレーム１２及び第二縦フレーム１３には、側辺方向に延伸する第一固定部材１２０及び第二固定部材１３０が設けられる。第一固定部材１２０及び第二固定部材１３０には、それぞれ、第一当て部材１４及び第二当て部材１５が設けられ、第一当て部材１４及び第二当て部材１５は、内サッシ２の所定箇所２０と外サッシ３の所定箇所３０に接触する。以上のように、第一当て部材１４と第二当て部材１５を利用して、フレーム１と、内サッシ２及び外サッシ３とを、相互に緊密に接触させることができる。
【００１１】
図３は図２のＡ−Ａ線の断面図であり、図４は図２のＢ−Ｂ線の断面図であり、図５は第一縦フレームの一部を示した斜視図であり、図６は第二縦フレームの一部を示した斜視図である。図３から分かるように、上フレーム１０から下方向に延伸する下固定部材１０２には第二当て部材１５と第一当て部材１４が設けられ、第二当て部材１５は、フレーム１上に取り付けられた外サッシ３の所定箇所３０に接触し、第一当て部材１４は、内サッシ２の所定箇所２０に接触する。各当て部材が、内サッシ２の所定箇所２０及び外サッシ３の所定箇所３０に接触する時、当て部材は変形して緊密に貼りつく。
【００１２】
また、図４から分かるように、下フレーム１１から上方向に延伸する複数の上固定部材１１０には、それぞれ、第一当て部材１４と第二当て部材１５が設けられ、第一当て部材１４は内サッシ２の所定箇所２０に接触し、第二当て部材１５は外サッシ３の所定箇所３０に接触する。各当て部材が内サッシ２の所定箇所２０及び外サッシ３の所定箇所３０に接触する時、当て部材は変形して緊密に貼りつく。
【００１３】
また、第一縦フレーム１２と第二縦フレーム１３には、側辺方向に延伸する第一固定部材１２０と第二固定部材１３０が設けられる。第一固定部材１２０と第二固定部材１３０には、第一当て部材１４と第二当て部材１５がそれぞれ設けられ、第一当て部材１４は内サッシ（図示せず）の所定箇所２０に接触し、第二当て部材１５は外サッシ（図示せず）の所定箇所３０に接触する。各当て部材が内サッシ（図示せず）の所定箇所２０及び外サッシ（図示せず）の所定箇所３０に接触する時、当て部材は変形して緊密に貼りつく。
【００１４】
以上のように、第一当て部材１４及び第二当て部材１５を利用することにより、フレーム１と、内サッシ（図示せず）及び外サッシ（図示せず）とを相互に緊密に貼り付けさせることができ、それにより、完全な気密状態を作りだすことができる。
【符号の説明】
【００１５】
１      フレーム
１０    上フレーム
１０２  下固定部材
１１    下フレーム
１１０  上固定部材
１２    第一縦フレーム
１２０  第一固定部材
１３    第二縦フレーム
１３０  第二固定部材
１４    第一当て部材
１５    第二当て部材
２      内サッシ
２０    所定箇所
３      外サッシ
３０    所定箇所
【図１】
0003162138.tif 000003
【図２】
0003162138.tif 000004
【図３】
0003162138.tif 000005
【図４】
0003162138.tif 000006
【図５】
0003162138.tif 000007
【図６】
0003162138.tif 000008